(57)【特許請求の範囲】
【請求項１】
扉用通電ユニットの扉側ケースと枠用通電ユニットの枠側ケースとの間でコネクター手段を介して結線される通電ケーブルを包む保護部材が、前記扉側ケースと前記枠側ケースの間で略Ｕ字形状を形成するように懸垂される通電ユニットであって、
前記扉用通電ユニットは、前記扉側ケースと、前記通電ケーブルを包む保護部材と、該保護部材の自由端部に一体的に設けられた脱着部材及び前記通電ケーブルの他端部に一体的に取付けられた一方のコネクターとで構成され、前記保護部材は、その固定端が前記扉側ケースの一側開口の反対側の他側壁の外壁面側で少なくとも一つの第１固定手段を介して固定され、一方、前記自由端部は前記他側壁の内壁面側で第２固定手段を介して取外し可能に固定されている通電ユニット。
【請求項２】
請求項１に於いて、保護部材は、所定長のコイルバネ状の弾性体であることを特徴とする通電ユニット。
【請求項３】
請求項１又は請求項２に於いて、脱着部材は、嵌合板と、該嵌合板に略直交するように所定間隔を有して突設された左右一対の対向保持板を有し、前記保護部材の自由端部は、前記所定間隔に入り込み、かつ、前記対向保持板の突起部分に保持されていることを特徴とする通電ユニット。
【請求項４】
請求項３に於いて、脱着部材の嵌合板には、左右一対の対向保持板よりも上位に位置し、かつ、コネクター手段を構成する一方のコネクターを保持する左右一対の弾性保持片が設けられていることを特徴とする通電ユニット。
【請求項５】
請求項１に於いて、枠用通電ユニットは、枠側ケースと、前記枠側ケースの挿通孔を介して該枠側ケース内に導入された枠側給電コード側の他方のコネクターとから成り、前記枠側ケースの収納部内には、脱着部材と係脱する左右の弾性片が設けられていることを特徴とする通電ユニット。
【請求項６】
請求項５に於いて、前記脱着部材の一側面に取付けられた保護部材の自由端部、前記一側面に取付けられた通電ケーブル側の引出しコネクター及び該引出しコネクターに接続する前記枠側給電コード側の他方のコネクターが、前記枠側ケースの収納部内に収まった状態で、該脱着部材が前記左右の弾性片に係合することを特徴とする通電ユニット。
【請求項７】
扉用通電ユニットを構成する扉側ケースの上端部に、その一端部を、第１固定手段を介して固定し、一方、その他端部と一体の脱着部材を扉側ケースの上部側収納部内に設けられた第２固定手段に取外し可能に固定して通電ケーブルを包む保護部材の略全てを前記扉側ケースに収納する保護部材収納工程と、前記扉側ケースの一側開口から脱着部材を引き出す脱着部材引出工程と、前記脱着部材に設けられた一方のコネクターと枠用通電ユニットを構成する枠側ケースの電源側給電コードの他方のコネクターとを結線するコネクター手段接続工程と、然る後に、前記脱着部材を前記枠側ケースの収納部内に設けた枠側固定手段に固定する脱着部材固定工程を備え、前記脱着部材固定工程により、前記保護部材１８は扉側ケース１１と枠側ケース４１に略Ｕ字形状に懸垂された状態となる通電ユニットの結線方法。
【請求項８】
請求項７に於いて、前記脱着部材の一側面に取付けられた保護部材の自由端部、前記一側面に取付けられた通電ケーブル側の引出しコネクター及び該引出しコネクターに接続する前記枠側給電コード側の他方のコネクターが、前記枠側ケースの収納部内に収まった状態で、該脱着部材が前記左右の弾性片に係合することを特徴とする通電ユニットの結線方法。
【請求項９】
請求項７に於いて、コネクター手段接続工程の際、少なくとも一方のコネクターの上端部側を脱着部材の一側面から離した状態にして該一方のコネクターに枠側ケースの他方のコネクターを接続することを特徴とする通電ユニットの結線方法。
【発明の詳細な説明】
【技術分野】
【０００１】
本発明は、扉に取り付けて使用する電気錠等の電気機器へ枠側にある制御盤等の電源装置から作動電力を供給するための配線用器具、いわゆる建具用の通電ユニット及び建具用の通電ユニットの結線方法に関する。
【背景技術】
【０００２】
特許文献１は、扉用通電ユニットと枠用通電ユニットとを全く同一の構造にし、施工現場に於いて、扉側のコネクター手段と扉枠側のコネクター手段を、別個独立に結線した後、前記扉側のコネクター手段を一方のカバー体（４）内に入れ、また前記扉枠側のコネクター手段を他方のカバー体（４）内に入れ、然る後に、前記各カバー体の一面に形成した開口部を、扉（８）の吊元端部と、該吊元端部とチリを介して対向する扉枠（１２）の壁面に、いわゆる面付状態に固定するものである。
【０００３】
この特許文献１は、一側面が開口する長箱状のカバー体（４）が簡単な構造なので、安価に製作することができる、各カバー体（４、４）をドライバーでビス止めするたけで良い等の利点があるものの、扉の製作工場で、予め扉用通電ユニットを扉の吊元端部の開口部に嵌装することができない。したがって、前記扉の製作工場で予め扉内の給電コードと扉用通電ユニットの接続コード（通電コード）との結線をすることができないという問題点があった。また施工現場で結線した場合、各カバー体（４、４）と、各カバー体の下端部からＵ字形状に垂れ下がる接続コード（５）がそれぞれ室内側から見えるので、美観上、防犯上等の観点から問題点があった（特許文献１の第４図を参照。符号は特許文献１のもの。）。
【０００４】
特許文献２は、上記の問題点を解決するものである。すなわち、特許文献２は、「扉の吊り元側の枠の一部に取り付けられる枠側ケースと、同枠側ケースに対向する位置に取り付けられる扉側ケース及び同扉側ケース内に挿通され、且つ、一端に電気機器に接続するための機器用コネクターと、他端に電源装置からの電源ケーブルに接続するための電源用コネクターを設けた通電ケーブルとから構成され、扉側ケースを扉に取り付けるときに通電ケーブルの機器用コネクター側の扉側配線部を扉内に配線すると共に、電源用コネクター側の枠側配線部を扉側ケース内或いは扉内に収納させておき、扉を枠に取り付けるときに、前記通電ケーブルの枠側配線部を扉側ケース或いは扉から引き出し、枠に取り付けられた枠側ケース内を挿通させて枠側に配線するようにした通電用金具」である。
【０００５】
したがって、特許文献２の通電金具は、扉の製作工場に於いて、予め扉（Ｄ）の開口に扉側ケース（２）を嵌め込み、かつ、扉内の給電コードと扉用通電ユニットの通電コードとの結線をすることができるという利点がある。また扉（Ｄ）を枠（Ｗ）に取り付ける前であっても、枠（Ｗ）に枠側ケース（１）を取り付けておくことができるとう利点がある。
【０００６】
しかしながら、特許文献２の図３の（ａ）及び段落００１１には、「電源用コネクターを設けた枠側配線部を扉側ケース内或いは扉内に収納しておくことができる」という記載があるものの、前記枠側配線部が、例えばコイルバネ状の保護部材に被覆されている場合には、該保護部材が弾性変位する部材であることから、実質上図３の（ｂ）に示すように扉側ケース（２）から解放状態に食み出るという問題点があった。また施工現場に於いて、電源用コネクター（４２）を枠側ケース（１）側の給電コードとコネクター手段を介して結線をする場合、図６及び図７で示すように保護部材を貫通している枠側配線部（通電ケーブルの同軸の被覆チューブ）を保護部材（３３）から所要量枠側ケース（１）側に引き抜き、その後、前記引き抜きいた通電ケーブルの同軸の被覆チューブを枠側ケース（１）の上端部に形成した挿通孔に挿通させ、然る後に前記被覆チューブから出ている複数本（例えば４本）の信号線の先端部に設けた電源用コネクター（４２）と枠側の給電コードのコネクターを結線する必要があるので、結線が容易でないという問題点があった（符号は特許文献２のもの）。
【先行技術文献】
【特許文献】
【０００７】
【特許文献１】実公平３−１７４１７号公報
【特許文献２】特許第４０１３００８号公報
【発明の概要】
【発明が解決しようとする課題】
【０００８】
本願発明の主たる目的は、運搬時、扉側ケースに通電ケーブルを包む保護部材を収納することができるという特許文献２の利点を生かしつつ、該特許文献２の問題点を解消することである。すなわち、扉の製作工場から扉を施工現場へと運搬するとき、或いは扉とは別体に扉側ケースを運搬するとき、通電ケーブルを包む保護部材を略完全に扉側ケースの収納部に収納し、かつ、該保護部材が可撓性チューブ或いはコイルバネ状の弾性体であっても、その自由端部（可動端部）を扉側ケース内に確実に固定することができることである。本願発明の第２の目的は、施工現場に於いて、扉側ケース内に固定されている保護部材の自由端部を簡単に取り外し、かつ、枠側ケース内に位置付けられている電源側給電コードのコネクターとの接続（結線）を極めて容易に行うことができることである。さらに、付随的な目的として、保護部材の自由端部が扉側ケースに取外し可能に固定される脱着部材から外れないこと、扉側ケースに一体的に取付けられた保護部材の固定端が上下方向にずれないこと等である。さらに、付随的な目的として、施工現場で結線した後、扉側ケース内に位置するコネクター手段が脱着部材にカバーされることである。
【課題を解決するための手段】
【０００９】
本発明の通電ユニットは、扉用通電ユニットの扉側ケースと枠用通電ユニットの枠側ケースとの間でコネクター手段を介して結線される通電ケーブルを包む保護部材が、前記扉側ケースと前記枠側ケースの間で略Ｕ字形状を形成するように懸垂される通電ユニットであって、前記扉用通電ユニットは、前記扉側ケースと、前記通電ケーブルを包む保護部材と、該保護部材の自由端部に一体的に設けられた脱着部材及び前記通電ケーブルの他端部に一体的に取付けられた一方のコネクターとで構成され、前記保護部材は、その固定端が前記扉側ケースの一側開口の反対側の他側壁の外壁面側で少なくとも一つの第１固定手段を介して固定され、一方、前記自由端部は前記他側壁の内壁面側で第２固定手段を介して取外し可能に固定されていることを特徴とする。
【００１０】
上記構成に於いて、保護部材は、所定長のコイルバネ状の弾性体であることを特徴とする。また脱着部材は、嵌合板と、該嵌合板に略直交するように所定間隔を有して突設された左右一対の対向保持板とを有し、前記保護部材の自由端部は、前記所定間隔に入り込み、かつ、前記対向保持板の突起部分に保持されていることを特徴とする。さらに、脱着部材の嵌合板には、左右一対の対向保持板よりも上位に位置し、かつ、コネクター手段を構成する一方のコネクターを保持する左右一対の弾性保持片が設けられていることを特徴とする。加えて、枠用通電ユニットは、枠側ケースと、前記枠側ケースの挿通孔を介して該枠側ケース内に導入された枠側給電コード側の他方のコネクターとから成り、前記枠側ケースの収納部内には、脱着部材と係脱する左右の弾性片が設けられていることを特徴とする。
【００１１】
また、本発明の通電ユニットの結線方法は、扉用通電ユニットを構成する扉側ケースの上端部に、その一端部を、第１固定手段を介して固定し、一方、その他端部と一体の脱着部材を扉側ケースの上部側収納部内に設けられた第２固定手段に取外し可能に固定して通電ケーブルを包む保護部材の略全てを前記扉側ケースに収納する保護部材収納工程と、前記扉側ケースの一側開口から脱着部材を引き出す脱着部材引出工程と、前記脱着部材に設けられた一方のコネクターと枠用通電ユニットを構成する枠側ケースの電源側給電コードの他方のコネクターとを結線するコネクター手段接続工程と、然る後に、前記脱着部材を前記枠側ケースの収納部内に設けた枠側固定手段に固定する脱着部材固定工程を備え、前記脱着部材固定工程により、前記保護部材１８は扉側ケース１１と枠側ケース４１に略Ｕ字形状に懸垂された状態となることを特徴とする。
【００１２】
上記構成に於いて、前記脱着部材の一側面に取付けられた保護部材の自由端部、前記一側面に取付けられた通電ケーブル側の引出しコネクター及び該引出しコネクターに接続する前記枠側給電コード側の他方のコネクターが、前記枠側ケースの収納部内に収まった状態で、該脱着部材が前記左右の弾性片に係合することを特徴とする。また、コネクター手段接続工程の際、少なくとも一方のコネクターの上端部側を脱着部材の一側面から離した状態にして該一方のコネ。クターに枠側ケースの他方のコネクターを接続することを特徴とする。
【発明の効果】
【００１３】
（ａ）独立請求項（請求項１、請求項７）に記載の発明は、運搬時、扉側ケースに通電ケーブルを包む保護部材を収納することができるという特許文献２の利点を生かしつつ、該特許文献２の問題点を解消することができる。すなわち、扉の製作工場から扉を施工現場へと運搬するとき、或いは扉とは別体に扉側ケースを運搬するとき、通電ケーブルを包む保護部材が扉側ケースから食み出ないように確実に該扉側ケースに固定し、例えば該保護部材がコイルバネ状の弾性体であっても、問題がないことである。また施工現場に於いて、扉側ケース内に固定されている保護部材の自由端部を、脱着部材を介して簡単に取り外し、かつ、枠側ケース側の電源側給電コードのコネクターとの接続を容易に行うことができる。
（ｂ）請求項２に記載の発明は、保護部材の固定端と他端部（自由端部）を確実かつ容易に連結することができる。付言すると、保護部材の自由端部が扉側ケースに取外し可能に固定される脱着部材から外れない。
（ｃ）請求項３に記載の発明は、脱着部材は、縦長状嵌合板と、該縦長状嵌合板に略直交するように所定間隔を有して突設された左右一対の対向保持板とを有し、前記保護部材の自由端部は、前記所定間隔に入り込み、かつ、前記対向保持板の突起部分に挟持された状態で保持されているので、結線の際、脱着部材を握って引っ張っても、脱着部材から外れない。
（ｄ）請求項４に記載の発明は、脱着部材の縦長状嵌合板には、左右一対の対向保持板よりも上位に位置し、かつ、コネクター手段を構成する一方のコネクターを保持する左右一対の弾性保持片が設けられているので、該弾性保持片の弾性変位を利用して前記一方のコネクターの上端部を指で手前側に若干起こすことができる。したがって、他のコネクターとの接続が容易となる。    
（ｅ）請求項５に記載の発明は、枠用通電ユニットは、枠側ケースと、前記枠側ケースの上端部の挿通孔を介して該枠側ケース内に導入された枠側給電コード側の他方のコネクターとから成り、前記枠側ケースの収納部内には、脱着部材と係脱する左右の弾性片が設けられているので、扉側ケース内に固定されている保護部材の自由端部を簡単に取り外し、かつ、枠側ケース内に位置付けられている電源側給電コードのコネクターとの接続を容易に行うことができる。この場合に於いて、枠側ケース内の前記コネクターを該枠側ケースの一側開口から引き出すことができる実施形態の場合には、より一層、電源側給電コードのコネクターとの接続を容易に行うことができる。
（ｆ）請求項６及び請求項８に記載の発明は、枠側ケースの収納部内にコネクター手段が隠れた状態で収まるように、裏返し状態の脱着部材が枠側固定手段に固定される（例えば左右の弾性片に係合する）ので、コネクター手段を保護することができる。
（ｇ）請求項９に記載の発明は、コネクター手段接続工程の際、少なくとも一方のコネクターの上端部側を脱着部材の一側表面から離した状態にして該一方のコネクターに枠側ケースの他方のコネクターを接続するので、極めて結線が容易である。
【図面の簡単な説明】
【００１４】
図１は本実施形態の使用状態における全体の環境を示す概略説明図で、図２乃至図１６は、本発明の主要部である扉用通電ユニットＡの構成を示す各説明図である。図１７乃至図２４は、本発明の扉用通電ユニットＡと組み合わせる枠用通電ユニットＢの構成を示す各説明図である（枠用通電ユニットＢは加味的要件である）。
【図１】本実施形態の使用状態における全体の環境を示す概略説明図。
【図２】施工現場に於いて、第１コネクター手段８（引出しコネクター１３と枠側の給電コネクター１４）の結線態様の概略説明図。
【図３】扉用通電ユニットＡの正面視側からの斜視図。
【図４】扉用通電ユニットＡの背面視側からの斜視図。
【図５】本実施形態の主要部を示す一部概略断面説明図。
【図６】脱着部材１２が内側支持部２２に固定的に支持され、通電ケーブルａを被覆した保護部材１８が扉側ケース１１に略収納された状態の正面図。
【図７】図６に於いて、脱着部材１２と、保護部材１８の一部を省略し、要部（内側支持部２２）を示す正面図。
【図８】保護部材１８の他端部１８ａが外側支持部２１に固定的に支持されている状態の背面図。
【図９】外側支持部２１を示す説明図。
【図１０】内側支持部２２を示す説明図。
【図１１】脱着部材１２に保護部材１８の他端部１８ｂを固定的に取付けると共に引出しコネクター１３を支持した状態の正面視からの斜視図。
【図１２】図１１に於いて、背面視からの斜視図。
【図１３】脱着部材１２の正面図。
【図１４】扉側ケース１１の外側支持部２１に保護部材１８の一端部（固定端部）１８ａを固定すると共に、その内側支持部２２に脱着部材１２を固定的にセットした概略横断面説明図。
【図１５】扉側ケース１１の内側支持部２２に脱着部材１２を固定的に係着した正面図。
【図１６】図１５に於いて、左側面視からの一部概略断面説明図。
【図１７】枠用通電ユニットＢの正面視側からの斜視図。
【図１８】枠用通電ユニットＢの正面図。
【図１９】枠用通電ユニットＢの背面図。
【図２０】図１８の２０−２０線拡大端面図。
【図２１】第１コネクター手段８の結線の一例を示す説明図。
【図２２】第１コネクター手段８を支持した状態で脱着部材１２を枠側ケース４１の収納部に入れる状態の説明図。
【図２３】図２２に於いて、脱着部材１２を裏返しにした状態で枠側ケース４１の固定手段に固定的に取付けた状態の説明図。
【図２４】枠側ケース４１の固定手段に脱着部材１２を係着した拡大の概略横断面説明図。
【図２５】使用状態の扉用通電ユニットＡと枠用通電ユニットＢの概略断面説明図。
【図２６】本願の結線方法の発明を示す工程図。
【図２７】コネクター手段接続工程の際、例えば指で少なくとも一方のコネクターの上端部側を脱着部材の一側表面から離した状態にして該一方のコネクターに枠側ケースの他方のコネクターを接続する概略説明図。
【発明を実施するための最良の形態】
【００１５】
図１は本実施形態の使用状態における全体の環境を示す概略説明図である。図２は本実施形態の主要部を概略的に示し、扉用通電ユニットＡの通電ケーブルａを枠用通電ユニットＢの電源側給電コードｂに第１コネクター手段８を介して接続する場合の説明図である。
本発明の建具用通電ユニットは、施工現場に於いて、扉用通電ユニットＡを構成する扉側ケース１１と、この扉側ケースと対向すると共に、枠用通電ユニットＢを構成する枠側ケース４１との間でコネクター手段８（１３、１４）を介して結線される通電ケーブルａを包む保護部材１８が、前記扉側ケース１１の収納部と前記枠側ケース４１の収納部の間で略Ｕ字形状を形成するように懸垂される。
【００１６】
そして、前記扉用通電ユニットＡは、扉側ケース１１と、通電ケーブルａを包む保護部材１８と、該保護部材の自由端部１８ｂに一体的に設けられた脱着部材１２及び前記通電ケーブルの他端部に一体的に取付けられた一方のコネクター１３とで構成され、前記保護部材１８は、その固定端１８ａが前記扉側ケース１１の一側開口の反対側の他側壁の外壁面側で少なくとも一つの第１固定手段２１を介して固定され、一方、前記自由端部は前記他側壁の内壁面側で第２固定手段２２を介して取外し可能に固定されている。
【００１７】
そこで、図１乃至図１６を参照にして、扉用通電ユニットＡの具体的な構成を説明する。まず、図１及び図２に於いて、１は扉用枠（以下、「枠」という）、２は吊り元端部（支持される側の側端部）２ａが上下１対の吊金具（例えば蝶番）３を介して前記枠１に水平回転可能に取付けられる扉、４は扉２の自由端部２ｂに固定的に配設された電気錠、Ａは扉の吊り元端部２ａの上端部寄りの部位に形成した開口にその扉側ケース１１が略嵌め込まれた扉用通電ユニット、一方、Ｂは前記扉用通電ユニットＡの扉側ケース１１と対応するようにその枠側ケース４１が枠１の横向き凹に略嵌め込まれる枠用通電ユニット、そして、７は扉以外の場所に配設された電源装置（電源、操作盤、制御盤など）である。
【００１８】
前記電源装置７は、例えば電源側給電コードｂ、この電源側給電コードと第１コネクター手段８を介して接離可能に接続すると共に前記扉用通電ユニットＡの扉側ケース１１及び前記枠用通電ケースＢの枠側ケース４１の各収納部に略Ｕ字形の状態で吊り下げられる通電ケーブル（仲介ケーブル）ａ、この通電ケーブルａと第２コネクター手段９、扉側給電コードｃ、第３コネクター手段１０をそれぞれ介して前述した電気錠４に接続されている。
【００１９】
図２で示すように、実施形態では、第１コネクター手段８は、扉側ケース１１の引出しコネクター１３と枠側の給電コネクター１４とで構成され、扉用通電ユニットＡの扉側ケース１１の中から脱着部材１２を介して通電ケーブルａの枠側の一部ａ１を引出し、かつ、前記脱着部材１２に外れないように支持された前記引出しコネクター（例えばソケット）１３に対して、例えば枠用通電ユニットＢの枠側ケース４１を構成するフロントケース４２から電源側給電コードｂの端部に設けられた前記給電コネクター（プラグ）１４を若干引き出し、該給電コネクター１４を前記引出しコネクター１３に差し込むことにより、通電コードａと電源側給電コードｂは互いに接続状態となる。
【００２０】
また第２コネクター９は、通電ケーブルａの略全体を被覆する可撓性の保護チューブ或いはコイルバネ状の保護部材１８の一端部から扉側ケース１１の外に出た通電ケーブルａの上端部に設けられた飛び出しコネクター１９と、この飛び出しコネクター１９と相互に接続される扉側給電コネクター２０とで構成されている。なお、電気錠側の第３コネクター手段１０も第２コネクター手段と同様にソケット・プラグ同志が互いに接続されている。
【００２１】
上記枠側の電源側給電コードｂと通電ケーブルａを接続する際或いは又飛び出しコネクター１９と扉側給電コネクター２０を接続する際、例えば図示しない中間ケーブル（複数個のコネクター手段）を用いるか否かは、任意に設計変更する事項であるが、本発明は、例えば上記使用状態の環境に考慮し、建物の建設現場（扉を取付ける施工場所）に於いて、電源側給電コードｂと通電ケーブルａの接続（結線）の容易化を図るために、少なくとも扉用通電ユニットＡの構成に特徴を持たせ、さらに、扉用通電ユニットＡの通電ケーブルａと枠用通電ユニットＢの電源側給電コードｂを互いに接続する場合における枠用通電ユニットＢの構成にも特徴を持たせている。
【００２２】
以下、本発明の第１実施形態の具体的構成を説明する。図２乃至図１６は、本発明の主要部である扉用通電ユニットＡの構成を示す各説明図である。まず図３は扉用通電ユニットＡの正面視側からの斜視図で、この斜視図では扉の開口部に扉用通電ユニットＡが嵌装されたとき、通電ケーブルａは、保護部材１８及び脱着部材１２を介して扉側ケース１１の縦長状収納部に略収まっている状態が見える。また図４は扉用通電ユニットＡの背面視側からの斜視図で、この斜視図では通電ケーブルａの一部が保護部材１８の一端部（固定端部）１８ａから出た状態と、前記保護部材１８の一端部１８ａが第１固定手段（例えば外側支持部）２１に固定的に支持されている状態が見える。
【００２３】
次に図５は本実施形態の主要部を示す一部概略断面説明図である。この図５は、図２の仮想線で示した通電ケーブルａが保護部材１８及び脱着部材１２を介して固定的に扉側ケース１１の縦長状収納部２４に収まっていることを示す。また実線で示したように通電ケーブルａを被覆する保護部材１８を扉側ケース１１から手で引き出すことができることを示している。例えば図３乃至図５で示すように、実施形態の扉用通電ユニットＡは、一側面としての前面が開口した縦長状箱体の「扉側ケース１１」と、この扉側ケース１１にコイルバネ状の保護部材１８及び脱着部材１２を介して設けられた「通電ケーブルａ」とから成る。
この扉用通電ユニットＡは、扉の製作工場で予め扉２の吊り元端部２ａの開口に略全体が嵌着され、例えば前記扉の製作工場から扉を建物の扉枠に取付ける施工現場へ運搬するとき、前記通電ケーブルａは、扉側ケース１１の開口から食み出ない様に前記保護部材１８の一端部（固定端部）１８ａは扉側ケース１１の上端部側（上端部寄りの部位も含まれる）の第１固定手段２１に固定され、一方、該保護部材１８の他端部（可動端部）１８ｂは前記扉側ケース１１の上端部側の第２固定手段（例えば内側支持部２２）に取外し可能に係脱する脱着部材１２を介して支持されている。
【００２４】
実施形態では、前記脱着部材１２の一側面（正面）側に引出しコネクター１３が一体的に設けられ、該引出しコネクター１３は前記脱着部材１２を介して扉側ケース１１の上端部側の上方収納部２３に略収納され、またややＵ字形状に弾性変位した該保護部材１８の略全体が、扉側ケース１１の上端部側から下端部（実施形態では底面）にかけて設けられ、かつ上端部側の上方収納部２３に連通する下方側収納部２４に収納されている。なお、前記引出しコネクター１３は「一方のコネクター」であり、これと接続する枠ケース４１内に位置付けられた給電コネクター１４は「他方のコネクター」である。
【００２５】
しかして、扉側ケース１１は通電ケーブルａ用の収納体或いは運送体でもあることから、その形態は、通電ケーブルａのややＵ字形ループ状の変位部分、脱着部材１２及び引出しコネクター１３の全てを縦長状収納部（上方乃至下方側収納部）２３、２４に収納することができる大きさであり、保護部材１８の一端部１８ａを前述した外側支持部２１で支持できる縦長略直方体状の箱体である。
【００２６】
ここで、図５を参照にして、扉側ケース１１の外観構成を説明する。扉側ケース１１は、その上端部から下端部にかけて段階的に奥行を大きくし、例えば下方の垂直状取付け突片１１ａに直交する底壁１１ｂの奥行方向の長さは、上方の垂直状取付け突片１１ｃに直交する上壁１１ｄのそれに対して略３倍である。また上端部側には上壁１１ｄから後方に向かって突出すると共に、その上辺が上壁に対して略４０度傾斜する第１突壁１１ｅが左側壁の一部を構成し、さらに、前記第１突壁１１ｅの下端には外方向に段部となる水平壁１１ｆが連設し、この水平壁から前記段部に対して上辺が略７０度傾斜する第２突壁１１ｇが左側壁の一部を構成している。
【００２７】
したがって、扉側ケース１１の左側壁は、全体として、ある種の建物（ビルディング）を彷彿させる外観形状を呈し、下端部側にややＵ字形ループ状に弾性変位した該保護部材１８の略全体を収納することができる構造となっている。なお、扉側ケース１１の下端部側の左側壁（右側壁も同様）の下端部側を後方に向かって略横倒れ台形状に形成しても良い。
【００２８】
次に、扉側ケース１１の背面側の上端部の一部を斜視で示した図９を参照にして、第１固定手段２１の構成を説明する。第１固定手段２１は、保護部材１８の自由端部１８ｂを引っ張ったとき、反対側の一端部１８ａが扉側ケース１１から外れない、望ましくは下方に「位置ズレ」しないようにする構成である。実施形態では、固定端としての一端部１８ａが、扉側ケース１１の一側開口２６の反対側の他側壁２７の外壁面２７ａ側で、少なくとも一つの第１固定手段２１を介して固定されている。一つの第１固定手段２１は、扉側ケース１１の背面の段部１１ｆ及び左右一対の第１突壁１１ｅに連設する垂直の前記他側壁２７の下部に亘って形成された固定端用挿通孔と連通する外向き嵌合凹所を形成する対向壁部分である。この対向壁部分の上端部の対向縁が水平方向に若干爪状に突出し、この爪状突起縁部２８が実質的に弾性体としてのコイルバネ状保護部材の一端部１８ａに入り込み、該一端部１８ａが確実に支持されている。
【００２９】
実施形態では、他側壁２７の略中央部に相当する前記爪状突起縁部２８の直ぐ上方の部位に左右一対の小さな窓２９が形成されており、図１４で示すように、これらの小さな窓２９を介してリング状の締付け部材（別の第１固定手段）２１でもってさらに一端部１８ａが固定されている。
【００３０】
したがって、第１固定手段２１は、扉側ケース１１の他側壁２７の外壁面２７ａ側に一体的に形成した外側支持部（固定部）２１でも良いし、また、前記外側支持部とは別の固定手段２１であっても良いし、実施形態の如く、第１固定手段２１は複数であっても良い。
【００３１】
次に、扉側ケース１１の上方収納部２３を形成する該扉側ケース１１の内壁を斜視で示した図１０を参照にして、脱着部材１２用の第２固定手段２２を説明する。前記脱着部材１２の自由端部１８ｂは、扉側ケース１１の他側壁２７の内壁面２７ｂ側に形成された左右の弾性係合片、前記内壁面２７ｂに形成されたビス用固定孔、前記内壁面２７ｂと直交する対向内壁面等を任意に選択し、単数又は複数の第２固定手段２２とすることができる。
【００３２】
実施形態では、例えば第２固定手段２２としての内側支持部２２は、上述した左右一対の小さな窓２９付近に前記他側壁２７の内壁面２７ｂの左右部位から一側開口２６に向かって略水平状態に延びると共に、先端部の内面が山形、弧状等に適宜に膨らんだ左右一対の弾性支持片である。これらの弾性支持片は、その材質自体により、剛質的機能、弾性変位機能及び弾性変位復帰機能を有しているので、脱着部材１２の被係合部は着脱自在に前記弾性支持片２２に係止され得る。
【００３３】
次に、図１１乃至図１３を参照にして脱着部材１２の構成を説明する。図１１は脱着部材１２に保護部材１８の他端部（可動端部）１８ｂを固定的に取付けると共に引出しコネクター１３を支持した状態の正面視からの斜視図、図１２は背面視からの斜視図、図１３は脱着部材１２の正面図である。
【００３４】
例えば図１１を参照にすると、脱着部材１２は、縦長状嵌合板３１と、該縦長状嵌合板３１に略直交するように所定間隔３２を有して突設された左右一対の対向保持板３３とを有し、保護部材１８の自由端部１８ｂは、前記所定間隔３２に入り込み、かつ、前記対向保持板３３の各縁部に水平方向に若干突設された突起部分３３ａ、３３ａに挟持された状態で保持されている。さらに、実施形態では、合計４本の信号線で構成されせる通電ケーブルａの自由端部が保護部材１８の自由端部１８ｂから露出しているので、その露出部分を支持するために、保護部材１８の自由端部１８ｂを固定する場合と同様に対向保持板３３の間の縦長状嵌合板３１の下部側に左右一対の小さな窓３４が形成し、これらの小さな窓３４を介してリング状或いは紐状の支持部材３５でもって露出部分を固定している。
加えて、脱着部材１２の縦長状嵌合板３１には、左右一対の対向保持板３３よりも上位に位置し、かつ、第１コネクター手段８を構成する一方のコネクター１３を保持する左右一対の弾性保持片３６が設けられている。これらの弾性保持片３６も前述した内側支持部（弾性支持片）２２と同様に縦長状嵌合板３１の幅狭の略中央部の左右部位から一側開口２６に向かって略水平状態に延びると共に、先端部の内面が山形、弧状等に適宜に膨らんだ左右一対の係止爪となっている。
【００３５】
なお、弾性保持片３６も、その材質自体により、剛質的機能、弾性変位機能及び弾性変位復帰機能を有しているので、一方のコネクター１３の下端部側は該弾性保持片３６に着脱自在に係止される。したがって、この実施形態では、該弾性保持片３６の弾性変位を利用して、前記一方のコネクター１３の上端部を指で手前側に若干起こすことができる。
【００３６】
次に、図１７乃至図２１を参照にして枠用通電ユニットＢの特徴事項を簡単に説明する。この枠用通電ユニットＢは、本発明の加味的要件なので、特徴事項を簡単に説明する。枠用通電ユニットＢは、枠側ケース４１と、この枠側ケース４１の上端部又は下端部のいずれかに形成された挿通孔４３ａを介して該枠側ケース４１に導入された枠側或いは電源側給電コードｂと、この電源側給電コードｂの挿入先端部に接続すると共に、第１コネクター手段８を構成する他方のコネクター（給電コネクター）１４とから成る。枠側ケース４１は、合成樹脂製のフロントケース４２と、このフロントケース４２を受け入れる金属製のトロヨケ型ベースケース４３とから成る。
【００３７】
さて、枠側ケース４１の一側開口４４は縦長状であり、該一側開口４４の大きさは、扉側ケース１１の一側開口２６と略同一である。扉側ケース１１は前述したように扉２に取付けられ、一方、枠側ケース４１は枠１に取付けられるが、両者の一側開口２６、４４は互いに対向状態と成る。実施形態では、フロントケース４２の一側開口４４の下端部縁から略中央部縁にかけて一対のガード部４５が突設され、この一対のガード部４５の対向内壁面に支持されるようにしてＵ字形状の保護部材１８の略半分が枠側ケース４１の下部側収納部４６に入り込む。フロントケース４２は前記下部側収納部４６に連通する上部側収納部４７を有し、この上部側収納部４７の幅は、脱着部材１２の縦長状の嵌合板の大きさを考慮し、前記下部側収納部４６よりも大きい。
【００３８】
しかして、枠側ケース４１を構成するフロントケース４２の上部側収納部４７内に脱着部材１２の中央部に形成した単数又は複数の係合部或いは被係合部と係脱可能な左右の弾性片４８が突出形成されている。これらの弾性片４８は略矩形状の係合板或いは嵌合板であり、その材質自体により、剛質的機能、弾性変位機能及び弾性変位復帰機能を有し、一側開口４４に延びる突出先端部の内面には係止爪４８ａが設けられている。
【００３９】
図２１乃至図２５は、扉用通電ユニットＡの通電ケーブａを枠用通電ユニットＢの電源側給電コードｂに第１コネクター手段８を介して接続する場合の各説明図である。詳しくは、図２１は第１コネクター手段８（扉側の引出しコネクター１３と枠側の給電コネクター１４）の結線の一例を示す説明図、図２２は図２１に於いて、第１コネクター手段８を支持した状態で脱着部材１２を枠側ケース４１の収納部に入れる状態の説明図、図２３は図２２に於いて、脱着部材１２を裏返しにした状態で枠側ケース４１の固定手段（固定部としての一対の弾性片４８）に固定的に取付けた状態の説明図である。これらの図から明らかなように、前記結線方法に於いて、枠側ケース４１の収納部内に第１コネクター手段８が隠れた状態で収まるように、裏返し状態の脱着部材１２が枠側ケース４１の左右一対の固定手段（弾性片４８）に係合状態に支持されている。
【００４０】
最後に、図２６を参照にして本願の建具用通電ユニットを用いた結線方法を説明する。本願の建具用通電ユニットの結線方法は、施工現場で、扉２に設けられた扉用通電ユニットＡの扉側ケース１１の通電ケーブルａの先端部に設けられた一方のコネクター（実施形態では引出しコネクター１３）と、枠１に設けられた枠用通電ユニットの枠側ケース４１の給電コード（実施形態では電源側給電コード）ｂの他方のコネクター（実施形態では給電コネクター）１４とを結線することを前提とする。
【００４１】
そこで、実施形態では、好ましくは特許文献１の利点を生かすために、扉の製作工場に於いて、予め扉２の開口に前記扉側ケース１１を嵌め込み、かつ、扉内の給電コードｃと扉用通電ユニットＡの通電ケーブルａとの結線をする。したがって、扉用通電ユニットＡは予め扉２に設けられた状態で施工現場まで運ばれ、その状態で枠１の開口部（出入り口）に開閉自在に取付けられる。もちろん、扉の製作工場で予め扉用通電ユニットＡを扉２に嵌め込まず、扉用通電ユニットＡと枠用通電ユニットＢをセットにした状態で施工現場へと運んでも良い。このような場合には、施工現場で扉用通電ユニットＡを扉２の開口に嵌め込む必要がある。
【００４２】
そこで、Ｓ１は保護部材収納工程である。保護部材１８は、その固定端部１８ａの固定の容易性、他端部１８ｂの引き出しの容易性等を考慮して、所定長のコイルバネ状の弾性体を用いている。この弾性体としての保護部材１８は、通電ケーブルａの略全体をＵ字形状に包んでいる。
【００４３】
しかして、この保護部材収納工程Ｓ１では、扉用通電ユニットＡを構成する扉側ケース１１の上端部（実施形態では扉側ケースの一側開口の反対側の他側壁の外壁面側）に、その一端部１８ａを第１固定手段（実施形態では扉側ケースに形成された外側支持部）２１を介して固定し、一方、その他端部１８ｂと一体の脱着部材１２を扉側ケース１１の上部側収納部２３内（実施形態では前記他側壁の内壁面側）に設けられた第２固定手段（実施形態では扉側ケースに形成された内側支持部）２２に取外し可能に固定し、前記弾性体としての保護部材１８を縮まったＵ字形状に形成して該保護部材１８の略全てを扉側ケース１１に収納する。
【００４４】
次に、Ｓ２は脱着部材１２を扉側ケース１１の一側開口から引き出す脱着部材引出工程である。脱着部材１２は、前述したように、嵌合板３１と、該嵌合板に略直交するように所定間隔３２を有して突設された左右一対の対向保持板３３とを有し、保護部材１８の他端部（自由端部）１８ｂは、前記所定間隔３２に入り込み、かつ、前記対向保持板３３の突起部分に保持されている。
【００４５】
しかして、この脱着部材引出工程Ｓ２では、脱着部材１２を第２固定手段（内側支持部）２２から指で摘まむようにして取り外し、そのまま扉側ケース１１の一側開口から引き出す。そうすると、一方のコネクター（引出しコネクター）１３と共に保護部材１８の他端部（自由端部）１８ｂが外方向に出る。
【００４６】
次に、Ｓ３は一方のコネクター１３と枠用通電ユニットＢを構成する枠側ケース４１の電源側給電コードｂの他方のコネクター（給電コネクター）１４とを結線するコネクター手段接続工程である。このコネクター手段接続工程Ｓ３では、枠側ケース４１の挿通孔４３ａを介して該枠側ケース４１に導入された前記給電コードｂの挿入先端部に前記他方のコネクター１４が設けられているので、該他方のコネクター１４を枠側ケース４１の一側開口４４から所要量引き出し、両方のコネクター１３、１４同士を互に接続する。
【００４７】
然る後に脱着部材固定工程Ｓ４がある。この脱着部材固定工程Ｓ４では、保護部材１８の他端部１８ｂと一体の脱着部材１２を枠側固定手段（実施形態では脱着部材と係脱する左右の弾性片）４８に固定し、前記保護部材１８を扉側ケース１１と枠側ケース４１の間で略Ｕ字形状を形成するように懸垂する。この脱着部材固定工程Ｓ４では、望ましくは、枠側ケース４１の収納部内にコネクター手段が隠れた状態で収まるように、裏返し状態の脱着部材１２が左右の弾性片４８に係合する。
付言すると、実施形態の所定形状の脱着部材１２は、例えば図５を参照にすると、扉側ケース１１の一側開口２６の反対側の他側壁２７の収納部２４を形成する垂直の内壁面２７ｂと対向する他側面と、この他側面の反対側に相当する一側開口２６側の一側面とを有し、前記一側面に保護部材１８の自由端部１８ｂ及び第１コネクター手段８を構成する引出しコネクター１３が取り付けられているが、この結線方法では、前記脱着部材の一側面に取付けられた保護部材の自由端部、前記一側面に取付けられた通電ケーブル側の引出しコネクター及び該引出しコネクターに接続する前記枠側給電コード側の他方のコネクターが、前記枠側ケースの収納部内に収まった状態で、該脱着部材が前記左右の弾性片に係合する。実施形態の脱着部材固定工程Ｓ４では、図２５及び図２６で示すように前記脱着部材１２が左右の弾性片４８に係合する。
付言すると、この脱着部材固定工程Ｓ４では、前記脱着部材１２を前記枠側ケースの収納部内に設けた枠側固定手段（弾性片）４８に固定すると、前記保護部材１８は、扉側ケース１１と枠側ケース４１に略Ｕ字形状に懸垂された状態となる。
【００４８】
なお、図２７は、コネクター手段接続工程の際、例えば指で少なくとも一方のコネクター１３の上端部側を脱着部材の一側表面から離した状態にして該一方のコネクターに枠側ケースの他方のコネクター１４を接続する概略説明図である。付言すると、一方のコネクター１３は脱着部材１２の一側表面に対して係脱自在、傾倒自在、取外し自在等の可動体であり、例えば指でコネクター１３の上端部を摘まみ、或いは指をコネクター１３の上端部に引っ掛け、該コネクター１３を傾倒させて他方のコネクター１４を接続すると、極めて容易に結線することができる。
【産業上の利用可能性】
【００４９】
本発明は、扉に取り付けて使用する電気錠等の電気機器へ枠側にある制御盤等の電源装置から作動電力を供給するための配線用器具、いわゆる建具用通電ユニットとして利用することができる。
【符号の説明】
【００５０】
Ａ…扉用通電ユニット、
Ｂ…枠用通電ユニット、
ａ…通電ケーブル、
ｂ…電源側給電コード、
１…扉用枠（枠）、
２…扉、
３…吊金具、
４…電気錠、
７…電源装置、
８…第１コネクター手段、
９…第２コネクター手段、
１０…第３コネクター手段、
１１…扉側ケース、
１２…脱着部材、
１３…引出しコネクター、
１４…給電コネクター、
１８…保護部材、
１８ａ…固定端、
１８ｂ…自由端、
２１…第１固定手段（外側支持部）、
２２…第２固定手段（内側支持部）、
２３、２４、４６、４７…収納部、
２６、４４…一側開口、
２７…他側壁、
３１…嵌合板、
３２…所定間隔、
３３…対向保持板、
３３ａ…突起部分、
３６…弾性保持片、
４８…左右の弾性片、
Ｓ１…保護部材収納工程、
Ｓ２…脱着部材引出工程、
Ｓ３…コネクター手段接続工程、
Ｓ４…脱着部材固定工程。
【図１】
0006717635.tif 000002
【図２】
0006717635.tif 000003
【図３】
0006717635.tif 000004
【図４】
0006717635.tif 000005
【図５】
0006717635.tif 000006
【図６】
0006717635.tif 000007
【図７】
0006717635.tif 000008
【図８】
0006717635.tif 000009
【図９】
0006717635.tif 000010
【図１０】
0006717635.tif 000011
【図１１】
0006717635.tif 000012
【図１２】
0006717635.tif 000013
【図１３】
0006717635.tif 000014
【図１４】
0006717635.tif 000015
【図１５】
0006717635.tif 000016
【図１６】
0006717635.tif 000017
【図１７】
0006717635.tif 000018
【図１８】
0006717635.tif 000019
【図１９】
0006717635.tif 000020
【図２０】
0006717635.tif 000021
【図２１】
0006717635.tif 000022
【図２２】
0006717635.tif 000023
【図２３】
0006717635.tif 000024
【図２４】
0006717635.tif 000025
【図２５】
0006717635.tif 000026
【図２６】
0006717635.tif 000027
【図２７】
0006717635.tif 000028